(57)【特許請求の範囲】
【請求項１】
積層方向と直交する平面における形状が多角形を成し、且つ、引出部の位置がそれぞれ異なる少なくとも３種類の内部導体層を誘電体層を介して順に積層して構成された直方体形状のコンデンサ本体と、
コンデンサ本体の表面に互いが非接触で設けられ、且つ、前記少なくとも３種類の内部導体層の引出部にそれぞれ接続する少なくとも３つの外部電極とを備え、
前記少なくとも３種類の内部導体層それぞれを画成する複数の辺それぞれは、積層方向で合致しない位置関係を有しており、
前記少なくとも３種類の内部導体層それぞれの複数の角部それぞれは、丸みを帯びた形をしていて、積層方向で合致しない位置関係を有している、
ことを特徴とする積層コンデンサ。
【請求項２】
前記少なくとも３種類の内部導体層は、積層方向と直交する平面における形状が４角形を成し、且つ、引出部の位置がそれぞれ異なる４種類の内部導体層から成る、
ことを特徴とする請求項１に記載の積層コンデンサ。
【請求項３】
前記４種類の内部導体層は、単一形状の４角形導体層を積層方向と直交する平面内で異なる角度で回転させて得たものである、
ことを特徴とする請求項２に記載の積層コンデンサ。
【請求項４】
前記少なくとも３種類の内部導体層は、積層方向と直交する平面における形状が４角形を成し、且つ、引出部の位置がそれぞれ異なる３種類の内部導体層から成る、
ことを特徴とする請求項１に記載の積層コンデンサ。
【請求項５】
前記３種類の内部導体層は、単一形状の４角形導体層を積層方向と直交する平面内で異なる角度で回転させて得たものである、
ことを特徴とする請求項４に記載の積層コンデンサ。
【請求項６】
前記単一形状の４角形導体層の４辺は、各辺と向き合うコンデンサ本体の側面と鋭角をもって傾く４つの斜辺によって構成されている、
ことを特徴とする請求項３または５に記載の積層コンデンサ。
【請求項７】
前記単一形状の４角形導体層の４辺は、４辺のうちの２辺と向き合うコンデンサ本体の側面と略平行な２つの辺と、残りの２辺と向き合うコンデンサ本体の側面と鋭角をもって傾く２つの斜辺によって構成されている、
ことを特徴とする請求項３または５に記載の積層コンデンサ。
【発明の詳細な説明】
【技術分野】
【０００１】
本発明は、耐電圧が向上された積層コンデンサに関する。
【背景技術】
【０００２】
図１（Ａ）及び図１（Ｂ）は２端子タイプの中高圧用積層コンデンサの上面図及び側面図を示す。この積層コンデンサ１０は、積層方向と直交する平面における形状が長方形を成す第１，第２内部導体層１４，１５を誘電体層（符号無し）を介して交互に積層して構成された直方体形状のコンデンサ本体１１と、コンデンサ本体１１の相対する端部に設けられ、且つ、第１，第２内部導体層１４，１５の引出部にそれぞれ接続する第１，第２外部電極１２，１３とを備えている。
【０００３】
この積層コンデンサ１０は、第１，第２内部導体層１４，１５の両側辺（図１（Ａ）中の上下辺、符号Ｌ１１，Ｌ１２参照）の一部分が積層方向でほぼ合致し、第１内部導体層１４の端辺（図１（Ａ）中の右辺、符号Ｌ１３参照）が積層方向でほぼ合致し、第２内部導体層１５の端辺（図１（Ａ）中の左辺、符号Ｌ１４参照）が積層方向でほぼ合致した構造にある。
【０００４】
要するに、この積層コンデンサ１０は第１，第２内部導体層１４，１５の積層方向で合致した辺部分（図１（Ｃ）の太線枠を参照）に電歪による応力が集中し易い構造にあり、電圧印加を繰り返すと積層方向で合致した辺部分にクラック等を発生して絶縁破壊を生じる恐れがあるため、耐電圧を向上させることが難しい。
【０００５】
積層コンデンサの高耐電圧化を図るには前記絶縁破壊の抑制を避けることはできず、その改善策として特許文献１によって内部導体層の形状及び積層形態が異なる中高圧用積層コンデンサも提案されている。この積層コンデンサは、第１外部電極に接続する第１内部導体層と第２外部電極に接続する第２内部導体層を同一平面に位置させ、該第１，第２内部導体層と第１，第２外部電極に接続しない第３内部導体層とを誘電体層を介して交互に積層した構成を備えている。
【０００６】
しかし、この積層コンデンサも、第１内部導体層の両側辺と第３内部導体層の両側辺の一部分が積層方向でほぼ合致し、第２内部導体層の両側辺と第３内部導体層の両側辺の一部分が積層方向でほぼ合致し、第１内部導体層の端辺が積層方向でほぼ合致し、第２内部導体層の端辺が４参照）が積層方向でほぼ合致し、第３内部導体層の両端辺が積層方向でほぼ合致した構造にある。
【０００７】
要するに、この積層コンデンサは第１〜第３内部導体層の形状及び積層形態に依存して絶縁耐性を多少向上できるものの、図１（Ａ）及び図１（Ｂ）に示した積層コンデンサと同様に第１〜第３内部導体層の積層方向で合致した辺部分に電歪による応力が集中し易い構造にあり、電圧印加を繰り返すと積層方向で合致した辺部分にクラック等を発生して絶縁破壊を生じる恐れがあるため、耐電圧を向上させるにも構造上の限界がある。
【特許文献１】特開平８−２７３９７１
【発明の開示】
【発明が解決しようとする課題】
【０００８】
本発明は前記事情に鑑みて創作されたもので、その目的とするところは、耐電圧を向上できる積層コンデンサを提供することにある。
【課題を解決するための手段】
【０００９】
前記目的を達成するため、本発明の積層コンデンサは、積層方向と直交する平面における形状が多角形を成し、且つ、引出部の位置がそれぞれ異なる少なくとも３種類の内部導体層を誘電体層を介して順に積層して構成された直方体形状のコンデンサ本体と、コンデンサ本体の表面に互いが非接触で設けられ、且つ、前記少なくとも３種類の内部導体層の引出部にそれぞれ接続する少なくとも３つの外部電極とを備え、前記少なくとも３種類の内部導体層それぞれを画成する複数の辺それぞれは積層方向で合致しない位置関係を有している、ことをその特徴とする。
【００１０】
この積層コンデンサによれば、コンデンサ本体内に設けられた少なくとも３種類の内部導体層それぞれを画成する複数の辺それぞれが積層方向で合致しない位置関係を有しているため、電歪による応力を少なくとも３種類の内部導体層それぞれを画成する複数の辺それぞれに確実に分散させることができる。つまり、少なくとも３種類の内部導体層それぞれを画成する複数の辺のうちの特定の辺或いはその一部に電歪による応力が集中することを回避することができ、これにより積層コンデンサの絶縁耐性を改善して耐電圧を向上させることができる。
【発明の効果】
【００１１】
本発明によれば、耐電圧を向上できる積層コンデンサを提供できる。
【００１２】
本発明の前記目的とそれ以外の目的と、構成特徴と、作用効果は、以下の説明と添付図面によって明らかとなる。
【発明を実施するための最良の形態】
【００１３】
［第１実施形態］
図２〜図４は本発明（積層コンデンサ）の第１実施形態を示す。図２（Ａ）は積層コンデンサの上面図、図２（Ｂ）は図２（Ａ）に示した積層コンデンサの側面図、図３は図２（Ａ）に示したコンデンサ本体の層構成を示す図、図４は図２（Ａ）に示したコンデンサ本体内の第１〜第４内部導体層の各４辺の積層方向の位置関係を示す図である。
【００１４】
この積層コンデンサ２０は、直方体形状のコンデンサ本体２１（図２（Ａ）及び図２（Ｂ）参照）と、コンデンサ本体２１の４つの角部に互いが非接触で設けられた４つの外部電極（第１〜第４外部電極２２〜２５，図２（Ａ）及び図２（Ｂ）参照）とを備えている。
【００１５】
コンデンサ本体２１は、積層方向と直交する平面における形状が４角形を成し、且つ、引出部（２６ｅ〜２９ｅ，図３参照）の位置がそれぞれ異なる４種類の内部導体層（第１〜第４内部導体層２６〜２９，図２（Ａ），図２（Ｂ）及び図３参照）を、誘電体層２１ａ（図３参照）を介して順に積層して構成されている。後に詳述するように、第１〜第４内部導体層２６〜２９それぞれを画成する４つの辺それぞれは、積層方向で合致しない位置関係を有している。
【００１６】
第１外部電極２２は各第１内部導体層２６の引出部２６ｅに接続し、第２外部電極２３は各第２内部導体層２７の引出部２７ｅに接続し、第３外部電極２４は各第３内部導体層２８の引出部２８ｅに接続し、第４外部電極２５は各第４内部導体層２９の引出部２９ｅに接続している。
【００１７】
図３に示すように、第１〜第４内部導体層２６〜２９は、単一形状の４角形導体層（以下、基準４角形導体層と言う）を積層方向と直交する平面内で異なる角度で、具体的には０度，９０度，１８０度，２７０度の角度で回転させて得たものである。因みに、基準４角形導体層の４辺は、各辺と向き合うコンデンサ本体２１の側面と鋭角をもって傾く４つの斜辺によって構成されている。
【００１８】
第１〜第４内部導体層２６〜２９それぞれを画成する４つの斜辺の傾き角度の関係は、（Ｓ２６ａ＝Ｓ２７ａ＝Ｓ２８ａ＝Ｓ２９ａ）＝（Ｓ２６ｂ＝Ｓ２７ｂ＝Ｓ２８ｂ＝Ｓ２９ｂ）＝（Ｓ２６ｃ＝Ｓ２７ｃ＝Ｓ２８ｃ＝Ｓ２９ｃ）＜（Ｓ２６ｄ＝Ｓ２７ｄ＝Ｓ２８ｄ＝Ｓ２９ａ）となっていて、４つの斜辺の線分長さの関係は（Ｓ２６ａ＝Ｓ２７ａ＝Ｓ２８ａ＝Ｓ２９ａ）＞（Ｓ２６ｂ＝Ｓ２７ｂ＝Ｓ２８ｂ＝Ｓ２９ｂ）＞（Ｓ２６ｃ＝Ｓ２７ｃ＝Ｓ２８ｃ＝Ｓ２９ｃ）＜（Ｓ２６ｄ＝Ｓ２７ｄ＝Ｓ２８ｄ＝Ｓ２９ｄ）となっている。
【００１９】
また、第１内部導体層２６はコンデンサ本体２１の１つの角部に至る帯状の引出部２６ｅを斜辺Ｓ２６ａの端と斜辺Ｓ２６ｄの端との間に有し、第２内部導体層２７はコンデンサ本体２１の他の角部（引出部２６ｅが至る角部と反時計回り方向で隣接する角部）に至る帯状の引出部２７ｅを斜辺Ｓ２７ａの端と斜辺Ｓ２７ｄの端との間に有し、第３内部導体層２８はコンデンサ本体２１の他の角部（引出部２７ｅが至る角部と反時計回り方向で隣接する角部）に至る帯状の引出部２８ｅを斜辺Ｓ２８ａの端と斜辺Ｓ２８ｄの端との間に有し、第４内部導体層２９はコンデンサ本体２１の他の角部（引出部２８ｅが至る角部と反時計回り方向で隣接する角部）に至る帯状の引出部２９ｅを斜辺Ｓ２９ａの端と斜辺Ｓ２９ｄの端との間に有している。
【００２０】
ここで、第１〜第４内部導体層２６〜２９それぞれを画成する４つの辺それぞれの積層方向の位置関係を図４を参照して説明する。
【００２１】
図４中の左側部分にあっては、先に述べた傾き角度の関係及び線分長さの関係から、第１内部導体層２６の斜辺Ｓ２６ａの内側に第４内部導体層２９の斜辺Ｓ２９ｂが平行に位置し、該第４内部導体層２９の斜辺Ｓ２９ｂの内側に第３内部導体層２８の斜辺Ｓ２８ｃが平行に位置し、これら３つの斜辺Ｓ２６ａ，Ｓ２９ｂ，Ｓ２８ｃと鋭角的に交差するように第２内部導体層２７の斜辺Ｓ２７ｄが位置している。
【００２２】
図４中の下側部分にあっては、先に述べた傾き角度の関係及び線分長さの関係から、第２内部導体層２７の斜辺Ｓ２７ａの内側に第１内部導体層２６の斜辺Ｓ２６ｂが平行に位置し、該第１内部導体層２６の斜辺Ｓ２６ｂの内側に第４内部導体層２９の斜辺Ｓ２９ｃが平行に位置し、これら３つの斜辺Ｓ２７ａ，Ｓ２６ｂ，Ｓ２９ｃと鋭角的に交差するように第３内部導体層２８の斜辺Ｓ２８ｄが位置している。
【００２３】
図４中の右側部分にあっては、先に述べた傾き角度の関係及び線分長さの関係から、第３内部導体層２８の斜辺Ｓ２８ａの内側に第２内部導体層２７の斜辺Ｓ２７ｂが平行に位置し、該第２内部導体層２７の斜辺Ｓ２７ｂの内側に第１内部導体層２６の斜辺Ｓ２６ｃが平行に位置し、これら３つの斜辺Ｓ２８ａ，Ｓ２７ｂ，Ｓ２６ｃと鋭角的に交差するように第４内部導体層２９の斜辺Ｓ２９ｄが位置している。
【００２４】
図４中の上側部分にあっては、先に述べた傾き角度の関係及び線分長さの関係から、第４内部導体層２９の斜辺Ｓ２９ａの内側に第３内部導体層２８の斜辺Ｓ２８ｂが平行に位置し、該第３内部導体層２８の斜辺Ｓ２８ｂの内側に第２内部導体層２７の斜辺Ｓ２７ｃが平行に位置し、これら３つの斜辺Ｓ２９ａ，Ｓ２８ｂ，Ｓ２７ｃと鋭角的に交差するように第１内部導体層２６の斜辺Ｓ２６ｄが位置している。
【００２５】
このように、前述の積層コンデンサ２０によれば、コンデンサ本体２１内に設けられた第１〜第４内部導体層２６〜２９それぞれを画成する４つの辺それぞれが積層方向で合致しない位置関係を有しているため、電歪による応力を第１〜第４内部導体層２６〜２９を画成する４つの辺それぞれに確実に分散させることができる。つまり、第１〜第４内部導体層２６〜２９を画成する４つの辺のうちの特定の辺或いはその一部に電歪による応力が集中することを回避することができ、これにより積層コンデンサ２０の絶縁耐性を改善して耐電圧を向上させることができる。
【００２６】
また、前述の積層コンデンサ２０によれば、第１〜第４内部導体層２６〜２９を、基準４角形導体層を積層方向と直交する平面内で異なる角度（０度，９０度，１８０度，２７０度）で回転させて得ているため、第１〜第４内部導体層２６〜２９として形状が個々に異なる導体層を別々に用意する必要がない。つまり、第１〜第４内部導体層２６〜２９の形状共通化によって導体層作成工程を簡略化することができ、これにより積層コンデンサ２０の製造コストの高騰を抑制することができる。
【００２７】
［第２実施形態］
図５〜図７は本発明（積層コンデンサ）の第２実施形態を示す。図５（Ａ）は積層コンデンサの上面図、図５（Ｂ）は図５（Ａ）に示した積層コンデンサの側面図、図６は図５（Ａ）に示したコンデンサ本体の層構成を示す図、図７は図５（Ａ）に示したコンデンサ本体内の第１〜第４内部導体層の各４辺の積層方向の位置関係を示す図である。
【００２８】
この積層コンデンサ３０は、直方体形状のコンデンサ本体３１（図５（Ａ）及び図５（Ｂ）参照）と、コンデンサ本体２１の４つの角部に互いが非接触で設けられた４つの外部電極（第１〜第４外部電極３２〜３５，図５（Ａ）及び図５（Ｂ）参照）とを備えている。
【００２９】
コンデンサ本体３１は、積層方向と直交する平面における形状が４角形を成し、且つ、引出部（３６ｅ〜３９ｅ，図６参照）の位置がそれぞれ異なる４種類の内部導体層（第１〜第４内部導体層３６〜３９，図５（Ａ），図５（Ｂ）及び図６参照）を、誘電体層３１ａ（図６参照）を介して順に積層して構成されている。後に詳述するように、第１〜第４内部導体層３６〜３９それぞれを画成する４つの辺それぞれは、積層方向で合致しない位置関係を有している。
【００３０】
第１外部電極３２は各第１内部導体層３６の引出部３６ｅに接続し、第２外部電極３３は各第２内部導体層３７の引出部３７ｅに接続し、第３外部電極３４は各第３内部導体層３８の引出部３８ｅに接続し、第４外部電極３５は各第４内部導体層３９の引出部３９ｅに接続している。
【００３１】
図６に示すように、第１〜第４内部導体層３６〜３９は、単一形状の４角形導体層（以下、基準４角形導体層と言う）を積層方向と直交する平面内で異なる角度で、具体的には０度，９０度，１８０度，２７０度の角度で回転させて得たものである。因みに、基準４角形導体層の４辺は、４辺のうちの２辺と向き合うコンデンサ本体３１の側面と略平行な２つの辺と、残りの２辺と向き合うコンデンサ本体３１の側面と鋭角をもって傾く２つの斜辺によって構成されている。
【００３２】
第１〜第４内部導体層３６〜３９をそれぞれ構成する４つの辺のうちの２つの斜辺の傾き角度の関係は（Ｓ３６ｂ＝Ｓ３７ｂ＝Ｓ３８ｂ＝Ｓ３９ｂ）＝（Ｓ３６ｄ＝Ｓ３７ｄ＝Ｓ３８ｄ＝Ｓ３９ａ）となっていて、略平行な２つの辺と２つの斜辺の線分長さの関係は（Ｓ３６ａ＝Ｓ３７ａ＝Ｓ３８ａ＝Ｓ３９ａ）＝（Ｓ３６ｂ＝Ｓ３７ｂ＝Ｓ３８ｂ＝Ｓ３９ｂ）＝（Ｓ３６ｄ＝Ｓ３７ｄ＝Ｓ３８ｄ＝Ｓ３９ｄ）＞（Ｓ３６ｃ＝Ｓ３７ｃ＝Ｓ３８ｃ＝Ｓ３９ｃ）となっている。
【００３３】
また、第１内部導体層３６はコンデンサ本体３１の１つの角部に至る帯状の引出部３６ｅを辺Ｓ３６ａの端と斜辺Ｓ３６ｄの端との間に有し、第２内部導体層３７はコンデンサ本体３１の他の角部（引出部３６ｅが至る角部と反時計回り方向で隣接する角部）に至る帯状の引出部３７ｅを辺Ｓ３７ａの端と斜辺Ｓ３７ｄの端との間に有し、第３内部導体層３８はコンデンサ本体３１の他の角部（引出部３７ｅが至る角部と反時計回り方向で隣接する角部）に至る帯状の引出部３８ｅを辺Ｓ３８ａの端と斜辺Ｓ３８ｄの端との間に有し、第４内部導体層３９はコンデンサ本体３１の他の角部（引出部３８ｅが至る角部と反時計回り方向で隣接する角部）に至る帯状の引出部３９ｅを辺Ｓ３９ａの端と斜辺Ｓ３９ｄの端との間に有している。
【００３４】
ここで、第１〜第４内部導体層３６〜３９それぞれを画成する４つの辺それぞれ積層方向の位置関係を図７を参照して説明する。
【００３５】
図７中の左側部分にあっては、先に述べた傾き角度の関係及び線分長さの関係から、第１内部導体層３６の辺Ｓ３６ａの内側に第３内部導体層３８の辺Ｓ３８ｃが平行に位置し、該辺Ｓ３８ｃと鋭角的に交差するように第４内部導体層３９の斜辺Ｓ３９ｂと第２内部導体層３７の斜辺Ｓ３７ｄが位置している。
【００３６】
図７中の下側部分にあっては、先に述べた傾き角度の関係及び線分長さの関係から、第２内部導体層３７の辺Ｓ３７ａの内側に第４内部導体層３９の辺Ｓ３９ｃが平行に位置し、該辺Ｓ３９ｃと鋭角的に交差するように第１内部導体層３６の斜辺Ｓ３６ｂと第３内部導体層３８の斜辺Ｓ３８ｄが位置している。
【００３７】
図７中の右側部分にあっては、先に述べた傾き角度の関係及び線分長さの関係から、第３内部導体層３８の辺Ｓ３８ａの内側に第１内部導体層３６の辺Ｓ３６ｃが平行に位置し、該辺Ｓ３６ｃと鋭角的に交差するように第２内部導体層３７の斜辺Ｓ３７ｂと第４内部導体層３９の斜辺Ｓ３９ｄが位置している。
【００３８】
図７中の上側部分にあっては、先に述べた傾き角度の関係及び線分長さの関係から、第４内部導体層３９の辺Ｓ３９ａの内側に第２内部導体層３７の辺Ｓ３７ｃが平行に位置し、該辺Ｓ３７ｃと鋭角的に交差するように第３内部導体層３３の斜辺Ｓ３８ｂと第１内部導体層３６の斜辺Ｓ３６ｄが位置している。
【００３９】
このように、前述の積層コンデンサ３０によれば、コンデンサ本体３１内に設けられた第１〜第４内部導体層３６〜３９それぞれを画成する４つの辺それぞれが積層方向で合致しない位置関係を有しているため、電歪による応力を第１〜第４内部導体層３６〜３９を画成する４つの辺それぞれに確実に分散させることができる。つまり、第１〜第４内部導体層３６〜３９を画成する４つの辺のうちの特定の辺或いはその一部に電歪による応力が集中することを回避することができ、これにより積層コンデンサ３０の絶縁耐性を改善して耐電圧を向上させることができる。
【００４０】
また、前述の積層コンデンサ２０によれば、第１〜第４内部導体層３６〜３９を、基準４角形導体層を積層方向と直交する平面内で異なる角度（０度，９０度，１８０度，２７０度）で回転させて得ているため、第１〜第４内部導体層３６〜３９として形状が個々に異なる導体層を別々に用意する必要がない。つまり、第１〜第４内部導体層３６〜３９の形状共通化によって導体層作成工程を簡略化することができ、これにより積層コンデンサ３０の製造コストの高騰を抑制することができる。
【００４１】
［第３実施形態］
図８〜図１０は本発明（積層コンデンサ）の第３実施形態を示す。図８（Ａ）は積層コンデンサの上面図、図８（Ｂ）は８（Ａ）に示した積層コンデンサの側面図、図９は図８（Ａ）に示したコンデンサ本体の層構成を示す図、図１０は図８（Ａ）に示したコンデンサ本体内の第１〜第３内部導体層の各４辺の積層方向に位置関係を示す図である。
【００４２】
この積層コンデンサ４０は、直方体形状のコンデンサ本体４１（図８（Ａ）及び図８（Ｂ）参照）と、コンデンサ本体４１の３つの角部に互いが非接触で設けられた３つの外部電極（第１〜第３外部電極４２〜４４，図８（Ａ）及び図８（Ｂ）参照）とを備えている。
【００４３】
コンデンサ本体４１は、積層方向と直交する平面における形状が４角形を成し、且つ、引出部（４６ｅ〜４８ｅ，図９参照）の位置がそれぞれ異なる３種類の内部導体層（第１〜第３内部導体層４６〜４８，図８（Ａ），図８（Ｂ）及び図９参照）を、誘電体層４１ａ（図９参照）を介して順に積層して構成されている。後に詳述するように、第１〜第３内部導体層４６〜４８それぞれを画成する４つの辺それぞれは、積層方向で合致しない位置関係を有している。
【００４４】
第１外部電極４２は各第１内部導体層４６の引出部４６ｅに接続し、第２外部電極４３は各第２内部導体層４７の引出部４７ｅに接続し、第３外部電極４４は各第３内部導体層４８の引出部４８ｅに接続している。
【００４５】
図９に示すように、第１〜第３内部導体層４６〜４８は、単一形状の４角形導体層（以下、基準４角形導体層と言う）を積層方向と直交する平面内で異なる角度で、具体的には０度，９０度，１８０度の角度で回転させて得たものである。因みに、基準４角形導体層の４辺は、各辺と向き合うコンデンサ本体４１の側面と鋭角をもって傾く４つの斜辺によって構成されている。
【００４６】
第１〜第３内部導体層４６〜４８それぞれを画成する４つの斜辺の傾き角度の関係は、（Ｓ４６ａ＝Ｓ４７ａ＝Ｓ４８ａ）＝（Ｓ４６ｂ＝Ｓ４７ｂ＝Ｓ４８ｂ）＝（Ｓ４６ｃ＝Ｓ４７ｃ＝Ｓ４８ｃ）＜（Ｓ４６ｄ＝Ｓ４７ｄ＝Ｓ４８ｄ）となっていて、４つの斜辺の線分長さの関係は（Ｓ４６ａ＝Ｓ４７ａ＝Ｓ４８ａ）＞（Ｓ４６ｂ＝Ｓ４７ｂ＝Ｓ４８ｂ）＞（Ｓ４６ｃ＝Ｓ４７ｃ＝Ｓ４８ｃ）＜（Ｓ４６ｄ＝Ｓ４７ｄ＝Ｓ４８ｄ）となっている。
【００４７】
また、第１内部導体層４６はコンデンサ本体４１の１つの角部に至る帯状の引出部４６ｅを斜辺Ｓ４６ａの端と斜辺Ｓ４６ｄの端との間に有し、第２内部導体層４７はコンデンサ本体４１の他の角部（引出部４６ｅが至る角部と反時計回り方向で隣接する角部）に至る帯状の引出部４７ｅを斜辺Ｓ４７ａの端と斜辺Ｓ４７ｄの端との間に有し、第３内部導体層４８はコンデンサ本体４１の他の角部（引出部４７ｅが至る角部と反時計回り方向で隣接する角部）に至る帯状の引出部４８ｅを斜辺Ｓ４８ａの端と斜辺Ｓ４８ｄの端との間に有している。
【００４８】
ここで、第１〜第３内部導体層４６〜４８それぞれを画成する４つの辺それぞれの積層方向の位置関係を図１０を参照して説明する。
【００４９】
図１０中の左側部分にあっては、先に述べた傾き角度の関係及び線分長さの関係から、第１内部導体層４６の斜辺Ｓ４６ａの内側に第３内部導体層４８の斜辺Ｓ４８ｃが平行に位置し、これら２つの斜辺Ｓ４６ａ，Ｓ４８ｃと鋭角的に交差するように第２内部導体層４７の斜辺Ｓ４７ｄが位置している。
【００５０】
図４中の下側部分にあっては、先に述べた傾き角度の関係及び線分長さの関係から、第２内部導体層４７の斜辺Ｓ４７ａの内側に第１内部導体層４６の斜辺Ｓ４６ｂが平行に位置し、これら２つの斜辺Ｓ４７ａ，Ｓ４６ｂと鋭角的に交差するように第３内部導体層４８の斜辺Ｓ４８ｄが位置している。
【００５１】
図４中の右側部分にあっては、先に述べた傾き角度の関係及び線分長さの関係から、第３内部導体層４８の斜辺Ｓ４８ａの内側に第２内部導体層４７の斜辺Ｓ４７ｂが平行に位置し、該第２内部導体層４７の斜辺Ｓ４７ｂの内側に第１内部導体層４６の斜辺Ｓ４６ｃが平行に位置している。
【００５２】
図４中の上側部分にあっては、先に述べた傾き角度の関係及び線分長さの関係から、第３内部導体層４８の斜辺Ｓ４８ｂの内側に第２内部導体層４７の斜辺Ｓ４７ｃが平行に位置し、これら２つの斜辺Ｓ４８ｂ，Ｓ４７ｃと鋭角的に交差するように第１内部導体層４６の斜辺Ｓ４６ｄが位置している。
【００５３】
このように、前述の積層コンデンサ４０によれば、コンデンサ本体４１内に設けられた第１〜第３内部導体層４６〜４８それぞれを画成する４つの辺それぞれが積層方向で合致しない位置関係を有しているため、電歪による応力を第１〜第３内部導体層４６〜４８を画成する４つの辺それぞれに確実に分散させることができる。つまり、第１〜第３内部導体層４６〜４８を画成する４つの辺のうちの特定の辺或いはその一部に電歪による応力が集中することを回避することができ、これにより積層コンデンサ２０４絶縁耐性を改善して耐電圧を向上させることができる。
【００５４】
また、前述の積層コンデンサ４０によれば、第１〜第３内部導体層４６〜４８を、基準４角形導体層を積層方向と直交する平面内で異なる角度（０度，９０度，１８０度）で回転させて得ているため、第１〜第３内部導体層４６〜４８として形状が個々に異なる導体層を別々に用意する必要がない。つまり、第１〜第３内部導体層４６〜４８の形状共通化によって導体層作成工程を簡略化することができ、これにより積層コンデンサ４０の製造コストの高騰を抑制することができる。
【００５５】
尚、前述の第３実施形態では、第１〜第３内部導体層４６〜４８を、第１実施形態と同じ基準４角形導体層を積層方向と直交する平面内で異なる角度（０度，９０度，１８０度）で回転させて得たものを示したが、該第１〜第３内部導体層４６〜４８を、第２実施形態と同じ基準４角形導体層を積層方向と直交する平面内で異なる角度（０度，９０度，１８０度）で回転させて得るようにしても前記同様の効果を得ることができる。何れの場合も、前記回転角度は０度，９０度，２７０度であっても良いし、０度，１８０度，２７０度であっても良い。
【００５６】
また、前述の第３実施形態では、コンデンサ本体４１の３つの角部に第１〜第３外部電極４２〜４４を設けたものを示したが、第１，第３外部電極４２，４４の一方を電極非形成の角部に及ぶように、例えば図１１に示すように第３外部電極４４’を引出部４８ｅが至る角部と該角部と反時計回り方向で隣接する角部に及ぶように、即ち、コンデンサ本体４１の一端部を覆うように形成しても良い。
【００５７】
［他の実施形態］
以上、第１〜第３実施形態では第１〜第４外部電極、或いは、第１〜第３外部電極をコンデンサ本体の角部に設けたもの（図１１の部分変形例を除く）を示したが、基準４角形導体層の引出部の形状をコンデンサ本体の側面に至るような形状とすれば第１〜第４外部電極、或いは、第１〜第３外部電極をコンデンサ本体の４側面、或いは、３側面に設けることもできる。
【００５８】
また、第１，第２実施形態では第１〜第４内部導体層を２組計８層用いたものを示し、また、第３実施形態では第１〜第３内部導体層を２組計６層用いたものを示したが、実用に際して組数及び層数は適宜増減できることは言うまでもない。
【００５９】
さらに、第１〜第３実施形態では第１〜第４内部導体層、或いは、第１〜第３内部導体層として何れも積層方向と直交する平面における形状が４角形のものを示したが、積層方向と直交する平面における形状が４角形以外の多角形、例えば３角形５角形や６角形等を成すものを内部導体層として用いても、各内部導体層それぞれを画成する複数の辺それぞれが積層方向で合致しない位置関係を有していれば前記同様の効果を得ることができる。
【図面の簡単な説明】
【００６０】
【図１】従来例を示す、積層コンデンサの上面図及び側面図と、電歪による応力が集中し易い辺部分を示す図である。
【図２】本発明の第１実施形態を示す、積層コンデンサの上面図及び側面図である。
【図３】図２（Ａ）に示したコンデンサ本体の層構成を示す図である。
【図４】図２（Ａ）に示したコンデンサ本体内の第１〜第４内部導体層の各４辺の積層方向の位置関係を示す図である。
【図５】本発明の第２実施形態を示す、積層コンデンサの上面図及び側面図である。
【図６】図５（Ａ）に示したコンデンサ本体の層構成を示す図である。
【図７】図５（Ａ）に示したコンデンサ本体内の第１〜第４内部導体層の各４辺の積層方向の位置関係を示す図である。
【図８】本発明の第３実施形態を示す、積層コンデンサの上面図及び側面図である。
【図９】図８（Ａ）に示したコンデンサ本体の層構成を示す図である。
【図１０】図８（Ａ）に示したコンデンサ本体内の第１〜第３内部導体層の各４辺の積層方向の位置関係を示す図である。
【図１１】第３実施形態の部分変形例を示す、積層コンデンサの上面図である。
【符号の説明】
【００６１】
２０…積層コンデンサ、２１…コンデンサ本体、２２…第１外部電極、２３…第２外部電極、２４…第３外部電極、２５…第４外部電極、２６…第１内部導体層、Ｓ２６ａ〜Ｓ２６ｄ…第１内部導体層の４辺、２６ｅ…第１内部導体層の引出部、２７…第２内部導体層、Ｓ２７ａ〜Ｓ２７ｄ…第２内部導体層の４辺、２７ｅ…第２内部導体層の引出部、２８…第３内部導体層、Ｓ２８ａ〜Ｓ２８ｄ…第３内部導体層の４辺、２８ｅ…第３内部導体層の引出部、２９…第４内部導体層、Ｓ２９ａ〜Ｓ２９ｄ…第４内部導体層の４辺、２９ｅ…第４内部導体層の引出部、３０…積層コンデンサ、３１…コンデンサ本体、３２…第１外部電極、３３…第２外部電極、３４…第３外部電極、３５…第４外部電極、３６…第１内部導体層、Ｓ３６ａ〜Ｓ３６ｄ…第１内部導体層の４辺、３６ｅ…第１内部導体層の引出部、３７…第２内部導体層、Ｓ３７ａ〜Ｓ３７ｄ…第２内部導体層の４辺、３７ｅ…第２内部導体層の引出部、３８…第３内部導体層、Ｓ３８ａ〜Ｓ３８ｄ…第３内部導体層の４辺、３８ｅ…第３内部導体層の引出部、３９…第４内部導体層、Ｓ３９ａ〜Ｓ３９ｄ…第４内部導体層の４辺、３９ｅ…第４内部導体層の引出部、４０…積層コンデンサ、４１…コンデンサ本体、４２…第１外部電極、４３…第２外部電極、４４，４４’…第３外部電極、４６…第１内部導体層、Ｓ４６ａ〜Ｓ４６ｄ…第１内部導体層の４辺、４６ｅ…第１内部導体層の引出部、４７…第２内部導体層、Ｓ４７ａ〜Ｓ４７ｄ…第２内部導体層の４辺、３７ｅ…第２内部導体層の引出部、４８…第３内部導体層、Ｓ４８ａ〜Ｓ４８ｄ…第３内部導体層の４辺、４８ｅ…第３内部導体層の引出部。
【図１】
0005162272.tif 000002
【図２】
0005162272.tif 000003
【図３】
0005162272.tif 000004
【図４】
0005162272.tif 000005
【図５】
0005162272.tif 000006
【図６】
0005162272.tif 000007
【図７】
0005162272.tif 000008
【図８】
0005162272.tif 000009
【図９】
0005162272.tif 000010
【図１０】
0005162272.tif 000011
【図１１】
0005162272.tif 000012